(57)【要約】【課題】電気コネクタを低背化した場合においても、ＦＰＣ等の平型の電線の突出部が載置される位置と、回路基板の表面に半田付けされる位置との間に十分な距離を保つことのできる電気コネクタを提供する。【解決手段】  電気コネクタ１は、縁に突出部が形成されたＦＰＣを回路基板に接続するための電気コネクタである。電気コネクタ１には、複数の端子と、ハウジング１１と、ハウジング１１に固定される補強部材７０Ｒとが設けられる。補強部材７０Ｒは、複数の端子に対してＦＰＣの幅方向の外側に配置される抜止部７１と、抜止部７１からＦＰＣの幅方向の外側に離れて位置するとともに、回路基板９０の表面に取り付けられる取付部７３とが設けられ、抜止部７１と取付部７３とは、上記幅方向に延伸する連結部７５によって連結されている。また、抜止部７１にはＦＦＣの突出部が載置され、補強部材７０Ｒはその突出部に引っ掛かる係止部７１ｅが設けられる。【選択図】図１０
2010003590.tif 000002
【特許請求の範囲】
【請求項１】
側縁に突出部が形成された平型の電線を回路基板に接続するための電気コネクタであって、
前記電線の幅方向に並ぶよう配置される複数の端子と、
前記複数の端子を前記幅方向に並んだ状態で保持するハウジングと、
前記ハウジングに固定される補強部材と、を備え、
前記補強部材は、
前記複数の端子に対して前記幅方向の外側に配置され、前記電線の前記突出部が載置可能に形成された抜止部と、
前記抜止部に載置された前記突出部が引っ掛かるよう形成された係止部と、
前記抜止部から前記幅方向の外側に延伸する連結部と、
前記連結部に連結され、前記抜止部から前記幅方向の外側に離れて位置するとともに、前記回路基板の表面に取り付けられる取付部と、含む、
ことを特徴とする電気コネクタ。
【請求項２】
請求項１に記載の電気コネクタにおいて、
前記抜止部は、その上縁に前記突出部が載置可能な載置縁を有し、
前記係止部は前記抜止部の前記上縁に形成されている、
ことを特徴とする電気コネクタ。
【請求項３】
請求項２に記載の電気コネクタにおいて、
前記連結部は、前記電線の挿入方向において前記載置縁より手前側に位置している、
ことを特徴とする電気コネクタ。
【請求項４】
請求項３に記載の電気コネクタにおいて、
前記連結部は板状に形成されている、
ことを特徴とする電気コネクタ。
【請求項５】
請求項２に記載の電気コネクタにおいて、
前記抜止部は、前記電線の挿入方向に延伸する抜止側圧入部を有し、
前記ハウジングには、前記抜止側圧入部が圧入される孔が形成される、
ことを特徴とする電気コネクタ。
【請求項６】
請求項５に記載の電気コネクタにおいて、
前記取付部は、前記電線の挿入方向に延伸する取付側圧入部を有し、
前記ハウジングには、前記取付側圧入部が圧入される孔が形成される、
ことを特徴とする電気コネクタ。
【発明の詳細な説明】
【技術分野】
【０００１】
本発明は、平型の電線を回路基板に接続するための電気コネクタに関する。
【背景技術】
【０００２】
フレキシブル・フラット・ケーブル（以下、ＦＦＣ）やフレキシブル・プリント回路（以下、ＦＰＣ）等の平型の電線を回路基板に接続するための電気コネクタには、電気コネクタの回路基板への取付強度を増すための補強部材を有するものがある。このような電気コネクタでは、端子だけでなく、補強部材も回路基板の表面に半田付けされており、それによって、電気コネクタの回路基板への取付強度が増している。
【０００３】
従来、ＦＰＣ等の平型の電線が電気コネクタから抜けるのを防止するために、電線が引っ掛かるように形成された補強部材を有する電気コネクタが提案されている。例えば、特許文献１の電気コネクタには、回路基板の表面に半田付けされる下縁を有する板状の補強部材が設けられ、当該補強部材の上縁には、電線の縁に形成された突出部が載置可能な凹部が形成されている。この凹部に突出部が嵌ることによって、電線は抜け止めされている。
【特許文献１】特開２００７−２９９５５４号公報
【発明の開示】
【発明が解決しようとする課題】
【０００４】
上記特許文献１に開示される電気コネクタでは、半田付けの際に半田上がりによって凹部が塞がれることのないように、すなわち、半田が補強部材の下縁から凹部の底にあたる部分（以下、底縁）にまで達することのないように、補強部材の下縁と凹部の底縁との間に十分な距離が保たれる必要がある。しかしながら、近年、電気コネクタの低背化によって補強部材の上下幅が小さくなってきているため、凹部の底縁と、補強部材の下縁との間に十分な距離が保てない場合がある。
【０００５】
本発明は、上記課題を鑑みてなされたものであって、その目的は、補強部材によって平型の電線を抜け止めする電気コネクタにおいて、電気コネクタを低背化した場合においても、電線の突出部が載置される部分と、回路基板の表面に半田付けされる部分との間に十分な距離を保つことのできる電気コネクタを提供することにある。
【課題を解決するための手段】
【０００６】
上記課題を解決するために、本発明に係る電気コネクタは、側縁に突出部が形成された平型の電線を回路基板に接続するための電気コネクタであって、前記電線の幅方向に並ぶよう配置される複数の端子と、前記複数の端子を前記幅方向に並んだ状態で保持するハウジングと、前記ハウジングに固定される補強部材とを備える。そして、前記補強部材は、前記複数の端子に対して前記幅方向の外側に配置され、前記電線の前記突出部が載置される抜止部と、前記抜止部に載置された前記突出部に引っ掛かる係止部と、前記抜止部から前記幅方向の外側に延伸する連結部と、前記連結部に連結され、前記抜止部から前記幅方向の外側に離れて位置するとともに、前記回路基板の表面に取り付けられる取付部と含む。
【発明の効果】
【０００７】
本発明によれば、抜止部から電線の幅方向の外側に離れた位置に取付部が設けられており、電気コネクタを低背化した場合においても、電線の突出部が載置される部分と、回路基板の表面に半田付けされる部分との間に十分な距離を保つことができる。
【発明を実施するための最良の形態】
【０００８】
以下、本発明の一実施形態について図面を参照しながら説明する。図１は本発明の実施形態の例である電気コネクタ１の斜視図であり、図２は電気コネクタ１が有するアクチュエータ２０を開いた状態の当該電気コネクタ１の斜視図であり、図３は電気コネクタ１の分解斜視図である。図４は電気コネクタ１が有する前接続端子５０の斜視図である。図５は図２におけるＶ−Ｖ線での断面図であり、ハウジング１１に取り付けられた前接続端子５０が示されている。図６は電気コネクタ１が有する後接続端子６０の斜視図である。図７は図２におけるＶＩＩ−ＶＩＩ線での断面図であり、ハウジング１１に取り付けられた後接続端子６０が示されている。さらに、図８はアクチュエータ２０を斜め上方から臨む斜視図であり、図９はアクチュエータ２０の底面図である。なお、図５及び図７では、ＦＰＣ８０が挿入されるとともに、アクチュエータ２０が閉じられた状態の電気コネクタ１が示されている。
【０００９】
図１に示すように、電気コネクタ１は、平型の電線であるＦＰＣ８０を回路基板９０に接続するための電気コネクタである。ＦＰＣ８０は、可撓性を有する回路本体８１と、回路本体８１より剛性のある補強板８２とを有している。補強板８２は回路本体８１の端部の上面に貼付されている。また、回路本体８１の端部には、ＦＰＣ８０の挿入方向（後方、Ｘ２方向）に延伸する複数の導体部８３が形成されている（図５及び図７参照）。この導体部８３は、回路本体８１の端部では下側に露出している。
【００１０】
図１乃至図３に示すように、電気コネクタ１は、ＦＰＣ８０と回路基板９０とを電気的に接続する複数の前接続端子５０及び複数の後接続端子６０と、これらの端子５０，６０を並んだ状態で保持するハウジング１１とを備えている。また、電気コネクタ１は、挿入されたＦＰＣ８０を押し下げて、導体部８３と端子５０，６０との接触強度を増すアクチュエータ２０と、回路基板９０に半田付けされて電気コネクタ１の回路基板９０への取付強度を増す補強部材７０Ｒ，７０Ｌとを備えている。図２に示すように、ＦＰＣ８０は、左右の縁（側縁）８０ａ，８０ａから突出する板状の突出部８５，８５を有している。この突出部８５,５８は補強板８２に形成されている。補強部材７０Ｒ，７０Ｌは、突出部８５，８５に引っ掛かることによって、ＦＰＣ８０が電気コネクタ１から抜けることを防止している。以下、電気コネクタ１を構成する各部材について説明する。
【００１１】
図４又は図５に示すように、前接続端子５０は、基部５１の上部から前方（Ｘ１方向）に延伸する上ビーム５２と、基部５１の下部から前方に延伸する下ビーム５３とを有している。上ビーム５２と下ビーム５３は上下に離れて設けられており、これらの間にＦＰＣ８０が挿入される。詳細には、上ビーム５２と下ビーム５３の間には、回路本体８１の端部と、当該端部の上面に貼付された補強板８２とが挿入される。
【００１２】
下ビーム５３の途中の位置には、上方（Ｚ１方向）に隆起する接触部５３ａが形成されている。この接触部５３ａは、回路本体８１の端部において下側に露出している導体部８３に接触する。下ビーム５３の先端には、下方（Ｚ２方向）に突出し、回路基板９０の表面に接する接続部５３ｂが設けられている。この接続部５３ｂは、回路基板９０の表面に設けられたパッド９１に、半田によって取り付けられる（図２参照）。
【００１３】
上ビーム５２の先端５２ｂ（Ｘ１方向の端部）側の下面には、アクチュエータ２０に設けられたカム２１に引っ掛かる鉤部５２ａが形成されている。アクチュエータ２０は、カム２１が鉤部５２ａに引っ掛かった状態で回転して、補強板８２を押し下げる。アクチュエータ２０については後において詳細に説明する。なお、下ビーム５３は上ビーム５２より長くなっており、下ビーム５３の接続部５３ｂは、上ビーム５２の鉤部５２ａより前方に位置している。また、鉤部５２ａは、下ビーム５３の接触部５３ａより前方に位置している。
【００１４】
図６及び図７に示すように、後接続端子６０も、基部６１の上部から前方に延伸する上ビーム６２と、基部６１の下部から前方に延伸する下ビーム６３とを有している。上ビーム６２と下ビーム６３は上下に離れて設けられており、これらの間にＦＰＣ８０が挿入される。すなわち、上ビーム６２と下ビーム６３との間に、回路本体８１の端部と、当該端部の上面に貼付された補強板８２とが挿入される。下ビーム６３の先端には、上方に隆起する接触部６３ａが形成されている。この接触部６３ａはＦＰＣ８０の導体部８３に接する。上ビーム６２の先端には下方に突出する押圧部６２ａが形成されている。押圧部６２ａは、アクチュエータ２０が回転したときに、上ビーム６２と下ビーム６３との間に挿入されたＦＰＣ８０を押し下げる。
【００１５】
なお、下ビーム６３は上ビーム６２より長くなっており、接触部６３ａは押圧部６２ａより前方に位置している。また、前後方向（Ｘ１−Ｘ２方向）における接触部６３ａの位置は、上ビーム５２の先端５２ｂの前後方向における位置と概ね一致している（図５参照）。さらに、前後方向における押圧部６２ａの位置は、接触部５３ａの前後方向における位置と概ね一致している（図５又は図７参照）。
【００１６】
また、後接続端子６０は、基部６１から後方（Ｘ２方向）に延伸する延伸部６４を有している。延伸部６４の先端には回路基板９０の表面に接する接続部６５が設けられており、接続部６５と、前接続端子５０の接続部５３ｂは前後に離れて位置している。この接続部６５も、回路基板９０の表面に設けられたパッド（不図示）に半田で取り付けられる。
【００１７】
複数の前接続端子５０と複数の後接続端子６０は、左右方向（Ｙ１−Ｙ２方向、ＦＰＣ８０のおお）に交互に並んだ状態で、ハウジング１１によって保持されている。詳細には、ハウジング１１には、前後方向（Ｘ１−Ｘ２方向）に長い複数の収容溝１２と、同じく前後方向に長い複数の収容溝１４とが交互に形成されている（図１参照）。図５に示すように、各収容溝１２の奥には、後方に延伸する孔１２ａが形成されている。前接続端子５０は、基部５１から後方に延伸する圧入部５４を有している（図４参照）。複数の前接続端子５０は、それぞれ収容溝１２に対して前側から挿入され、圧入部５４はハウジング１１の孔１２ａに圧入される。圧入部５４の途中の位置には爪部５４ａが形成されており、当該爪部５４ａが孔１２ａの内面に引っ掛かることで、前接続端子５０はハウジング１１に固定される。
【００１８】
また、図７に示すように、各収容溝１４の奥には、上下方向の孔１４ａ，１４ｂが形成されている。後接続端子６０の延伸部６４には、上方に突出する圧入部６４ａ，６４ｂが形成されている。複数の後接続端子６０は、それぞれ収容溝１４に対して下側から挿入され、圧入部６４ａ，６４ｂはハウジング１１の孔１４ａ，１４ｂに圧入される。圧入部６４ａ，６４ｂの先端には爪部６４ｃ，６４ｄが形成されており、当該爪部６４ｃ，６４ｄが孔１４ａ，１４ｂの内面に引っ掛かることで、後接続端子６０はハウジング１１に対して固定される。
【００１９】
図８又は図９に示すように、アクチュエータ２０は、左右方向に長い棒状の部材であり、上ビーム５２，６２の先端（Ｘ１方向の端部）側であって、下ビーム５３，６３の上方に配置されている。アクチュエータ２０における複数の上ビーム５２に対応する位置に、挿入孔２０ａが形成されている。図２又は図５に示すように、これらの挿入孔２０ａには各上ビーム５２の先端５２ｂが嵌められ、上ビーム５２の先端５２ｂ側に形成された鉤部５２ａは、挿入孔２０ａの縁に形成されたカム２１に引っ掛かっている。アクチュエータ２０は上ビーム５２の上方において起立した時の開位置（図５及び図７において二点鎖線で示すアクチュエータ２０の位置）と、下ビーム５３側に倒れた時の閉位置（図５及び図７において実線で示すアクチュエータ２０の位置）との間で、カム２１を支点として回転可能となっている。カム２１は、アクチュエータ２０が開位置にある時には、上ビーム５２と概ね平行となり、アクチュエータ２０が閉位置にある時には、上ビーム５２に対して概ね垂直な方向に向くよう形成されている。そして、アクチュエータ２０が閉位置に配置されている時には、カム２１は上ビーム５２から下方の力を受ける。
【００２０】
アクチュエータ２０は、カム２１が鉤部５２ａに引っ掛かった状態で開位置から閉位置に回転する。それによって、アクチュエータ２０は、前接続端子５０及び後接続端子６０に挿入されたＦＰＣ８０を押し下げ、接触部５３ａ，６３ａと導体部８３との接触強度を増す。
【００２１】
ここで説明する例では、アクチュエータ２０は、閉位置に配置されることによって上ビーム５２から下方の力を受けた時に、隣接する２つの下ビーム５３の間に位置する接触部６３ａに対して、ＦＰＣ８０の導体部８３を押し付ける。また、それに伴って、後接続端子６０の押圧部６２ａは、隣接する２つの下ビーム６３の間に位置する接触部５３ａに対して、導体部８３を押し付ける。つまり、図５に示すように、アクチュエータ２０が閉位置まで回転すると、上ビーム５２はカム２１を押し下げ、アクチュエータ２０の下面２０ｂがＦＰＣ８０を押し下げる。上述したように、前接続端子５０の先端５２ｂの前後方向（Ｘ１−Ｘ２方向）における位置と、後接続端子６０の接触部６３ａの前後方向における位置は概ね一致している。そのため、先端５２ｂ側に設けられた鉤部５２ａがカム２１を押し下げることによって、アクチュエータ２０の下面２０ｂは、ＦＰＣ８０を後接続端子６０の接触部６３ａに押し付ける。また、接触部６３ａは下ビーム６３の先端に設けられており、ＦＰＣ８０が接触部６３ａに下方の力を加えることによって、下ビーム６３が下方に撓む（図７参照）。そして、図７に示すように、それに伴って、上ビーム６２の先端に設けられた押圧部６２ａが、ＦＰＣ８０における、アクチュエータ２０より後側の位置を押し下げる。上述したように、押圧部６２ａの前後方向における位置は、前接続端子５０の接触部５３ａの前後方向における位置と概ね一致している。そのため、押圧部６２ａがＦＰＣ８０を押し下げることによって、ＦＰＣ８０の下面に設けられた導体部８３は接触部５３ａに押し付けられる。なお、図７では、下面２０ｂによって下方に押される前の下ビーム６３が二点鎖線で示されている。
【００２２】
図７に示すように、アクチュエータ２０には、複数の挿入孔２０ａと交互に並ぶ複数の孔２０ｃも形成されている。この孔２０ｃの位置は、上ビーム６２の位置に対応しており、アクチュエータ２０が開位置に配置された時には、当該孔２０ｃに上ビーム６２の先端が嵌ることで、アクチュエータ２０は開位置側に大きく回転できる。
【００２３】
なお、アクチュエータ２０は樹脂によって成型されており、その内部には、アクチュエータ２０を補強する芯材２９が設けられている（図１０参照）。この芯材２９はインサート成型によってアクチュエータ２０の内部で保持されている。
【００２４】
ここで補強部材７０Ｒ，７０Ｌについて説明する。図２に示すように、補強部材７０Ｒ，７０Ｌは、それぞれ前接続端子５０及び後接続端子６０に対して、ＦＰＣ８０の幅方向における外側（右側（Ｙ１方向側）及び左側（Ｙ２方向側））に配置されている。そして、補強部材７０Ｒ，７０Ｌは、前接続端子５０及び後接続端子６０にＦＰＣ８０が挿入された時には、ＦＰＣ８０の左右の縁８０ａ，８０ａに隣接する。また、ハウジング１１には前方に伸びる枠部１３，１３が設けられ、補強部材７０Ｒ，７０Ｌは枠部１３，１３の内側に位置している。補強部材７０Ｒ及び補強部材７０Ｌの形状及び位置は左右対称であるので、ここでは補強部材７０Ｒを中心にして説明する。
【００２５】
図１０は補強部材７０Ｒが設けられた部分を中心にして示す電気コネクタ１の拡大斜視図であり、図１１はＦＰＣ８０が挿入された状態における電気コネクタ１の拡大斜視図である。図１２は補強部材７０Ｒの斜視図であり、図１３は図１２とは異なる方向から補強部材７０Ｒを臨む斜視図であり、図１４は補強部材７０Ｒの側面図である。図１５は補強部材７０Ｒが設けられた部分を中心にして示す電気コネクタ１の正面図であり、図１６は図１５に示すＸＶＩ−ＸＶＩ線断面図であり、図１７は図１５に示すＸＶＩＩ−ＸＶＩＩ線断面図である。
【００２６】
図１０乃至図１３に示すように、補強部材７０Ｒは、抜止部７１と、当該抜止部７１から左右方向（Ｙ１−Ｙ２方向）に離れて位置する取付部７３と、抜止部７１から右方向（Ｙ１方向）に延伸して取付部７３に連なる連結部７５とによって構成されている。連結部７５の両端は、それぞれ抜止部７１の前側（Ｘ１方向側）の上部と、取付部７３の前側の上部とに掛け渡されている。抜止部７１は、ＦＰＣ８０が電気コネクタ１に挿入された時に、当該抜止部７１に突出部８５が載置可能となるように形成されている。また、抜止部７１には、当該抜止部７１に載置された突出部８５が引っ掛かる係止部７１ｅが設けられている。以下、補強部材７０Ｒの各部について詳細に説明する。
【００２７】
取付部７３は、前後方向に長い板状を呈し、電気コネクタ１が回路基板９０上に配置された時に回路基板９０に対して略垂直となるように形成されている。取付部７３の下縁には接続部７３ａが設けられている。この接続部７３ａは、取付部７３において前側（Ｘ１方向側）の位置に形成されている。接続部７３ａは、電気コネクタ１が回路基板９０上に配置された時には、当該回路基板９０の表面に形成されたパッド９２と接する（図１０参照）。接続部７３ａはパッド９２に半田で取り付けられる。
【００２８】
取付部７３の前側の端部７３ｂの下縁は、接続部７３ａより高い位置に位置しており、電気コネクタ１が回路基板９０上に載置された時においても、取付部７３の端部７３ｂの下縁と回路基板９０の表面との間には隙間が設けられる。また、図１３に示すように、取付部７３の下縁には凹部７３ｃが形成されている。凹部７３ｃは、取付部７３の端部７３ｂと接続部７３ａとの間に位置している。これによって、接続部７３ａをパッド９２に取り付ける際に当該接続部７３ａに供給される半田が、端部７３ｂに達することが抑制される。なお、この端部７３ｂ側の上縁に連結部７５が連なっている。
【００２９】
取付部７３は、後方に延伸するよう形成された取付側圧入部７４を有している。図１７に示すように、ハウジング１１において取付側圧入部７４に対向する位置には、前後方向に長い差込孔１７が形成されており、取付側圧入部７４はこの差込孔１７に圧入されている。取付側圧入部７４の先端側には、差込孔１７の内面に引っ掛かる爪部７４ａが形成されている。
【００３０】
また、抜止部７１は、後方に延伸するよう形成された抜止側圧入部７２を有している。図１６に示すように、ハウジング１１において抜止側圧入部７２に対向する位置に、前後方向に長い差込孔１８が形成されており、抜止側圧入部７２はこの差込孔１８に圧入されている。抜止側圧入部７２の途中の位置には、差込孔１８の内面に引っ掛かる爪部７２ａが形成されている。抜止側圧入部７２及び取付側圧入部７４がそれぞれ差込孔１８，１７に圧入されることよって、補強部材７０Ｒはハウジング１１に固定される。なお、差込孔１７は取付側圧入部７４の上下幅と概ね同じ大きさに形成されている。一方、差込孔１８は抜止側圧入部７２の上下幅より僅かに小さくなっている。これによって、抜止側圧入部７２は取付側圧入部７４に比べて強固にハウジング１１に固定される。
【００３１】
抜止側圧入部７２の基部には、上方に突出する突出部７２ｂが形成されている。一方、アクチュエータ２０において突出部７２ｂに対応する位置、すなわち、アクチュエータ２０において左右方向の端部２０ｄ側の縁には、凸部２２が形成されている（図１０参照）。補強部材７０Ｒは、アクチュエータ２０が前接続端子５０の上ビーム５２に取り付けられた後に、ハウジング１１に対して、当該ハウジング１１の前側（Ｘ１方向側）から圧入される。その結果、図１６に示すように、突出部７２ｂはアクチュエータ２０の凸部２２の前方（Ｘ１方向）に位置し、凸部２２の前方へ（Ｘ１方向）の移動を規制している。これによって、アクチュエータ２０のハウジング１１からの離脱が補強部材７０Ｒによって防止されている。
【００３２】
図１０又は図１２に示すように、抜止部７１は、前後方向に長い板状を呈し、回路基板９０上に電気コネクタ１が配置された時に当該回路基板９０に対して垂直になるように形成されている。また、抜止部７１は、ＦＰＣ８０が挿入された時に、その縁８０ａに隣接する。抜止部７１は、その上縁の一部に、突出部８５が載置可能な載置縁７１ａを有している。載置縁７１ａは、回路基板９０と略平行に形成されるとともに、突出部８５の幅に相応した幅（前後方向の長さ）を有している。載置縁７１ａの前側の端部に係止部７１ｅが設けられている。ここで説明する例では、抜止部７１は、載置縁７１ａの前側に、当該載置縁７１ａより高い抜止壁部７１ｂを有し、抜止壁部７１ｂの縁が係止部７１ｅとなっている。ＦＰＣ８０が前接続端子５０及び後接続端子６０に挿入された時には、突出部８５は載置縁７１ａに載置される（図１１参照）。そして、ＦＰＣ８０が前方（Ｘ１方向）に引かれた時には、突出部８５が係止部７１ｅに引っ掛かることによって、ＦＰＣ８０は抜け止めされる。なお、載置縁７１ａと係止部７１ｅと突出部７２ｂとによって、突出部８５を収容する凹部が構成されている（図１４参照）。
【００３３】
抜止部７１における載置縁７１ａの位置は、補強板８２を電気コネクタ１に対して適切な位置まで挿入した時の突出部８５の位置に一致している。ここで説明する例では、図５及び図７に示すように、ハウジング１１の奥部には壁部１１ａ，１１ｂが設けられており、ＦＰＣ８０は、当該ＦＰＣ８０の先端縁８０ｂが壁部１１ａ，１１ｂに当接するまで挿入される。そして、先端縁８０ｂが壁部１１ａ，１１ｂに当接するまでＦＰＣ８０が挿入された時の突出部８５の位置に、載置縁７１ａが設けられている。また、上述したように、載置縁７１ａの前後方向の幅は、突出部８５の前後方向の幅に対応している。そのため、ＦＰＣ８０を前接続端子５０と後接続端子６０とに挿入する際に、突出部８５が載置縁７１ａに位置するか否かに応じて、ＦＰＣ８０が適切な位置にまで挿入されたか否かを判定できる。
【００３４】
図１０に示すように、アクチュエータ２０の左右方向の端部２０ｄの下面には、凸部２３が形成されている。この凸部２３は、アクチュエータ２０を閉位置に配置した時に、取付部７３と抜止部７１との間に位置し（図１５参照）、載置縁７１ａに配置されている突出部８５に上方から当接する。これによって、より確実にＦＰＣ８０が電気コネクタ１に対して抜け止めされ得る。
【００３５】
なお、アクチュエータ２０の端部には、左右方向に突出する凸部２４，２４が形成されている（図２、図９又は図１５参照）。アクチュエータ２０が閉位置に配置されると、凸部２４はハウジング１１に設けられた枠部１３の縁１３ａを乗り越えて下方に移動する（図１５参照）。これによってアクチュエータ２０が再び開位置に戻ることが規制されている。
【００３６】
図１４又は図１５に示すように、抜止部７１の下縁７１ｃは、取付部７３の接続部７３ａより高い位置に位置している。すなわち、電気コネクタ１を回路基板９０上に配置した状態では、接続部７３ａのみが回路基板９０の表面に接し、抜止部７１の下縁７１ｃと回路基板９０の表面との間には隙間が設けられる。
【００３７】
図１２又は図１３に示すように、連結部７５は、回路基板９０と概ね平行に配置された板状を呈し、抜止部７１における後側の上縁から、右方向に延伸して取付部７３の上縁に連なっている。また、ＦＰＣ８０の挿入方向における連結部７５の位置は、載置縁７１ａより手前側に位置している。すなわち、連結部７５は載置縁７１ａより前方に位置している。そのため、ＦＰＣ８０が適切な位置まで挿入されていない場合には、突出部８５は連結部７５上に位置する。その結果、突出部８５が連結部７５上に位置しているか否かに応じて、ＦＰＣ８０の位置の適否を判定できる。
【００３８】
連結部７５は抜止部７１に対して概ね垂直に設けられる一方で、連結部７５と抜止部７１とを繋ぐ角部７５ａは湾曲している。これによって、ＦＰＣ８０を電気コネクタ１に挿入する際に、ＦＰＣ８０の位置が左右方向にずれているために、ＦＰＣ８０の縁８０ａが連結部７５に僅かに乗り上げている場合には、ＦＰＣ８０が角部７５ａによって左右方向の中心側に案内される。
【００３９】
なお、連結部７５と取付部７３とが連なる角部７５ｂも湾曲している。また、取付部７３の上縁において連結部７５の後側（Ｘ２方向側）の位置には凹部７３ｄが形成されている。
【００４０】
このような補強部材７０Ｒは金属によって一体的に形成される。例えば、補強部材７０Ｒは、取付部７３及び抜止部７１等の形状に切断された板状の金属を、取付部７３と連結部７５とが連結する部分と、抜止部７１と連結部７５とが連結する部分とにおいて屈曲させることによって、連結部７５に対して概ね垂直な取付部７３及び抜止部７１を有する補強部材７０Ｒが形成される。
【００４１】
以上説明した電気コネクタ１では、補強部材７０Ｒには、抜止部７１と取付部７３と連結部７５と係止部７１ｅとが設けられている。抜止部７１は、複数の前接続端子５０と後接続端子６０に対して、右方向（Ｙ１方向、ＦＰＣ８０の幅方向における外側）に配置され、突出部８５が載置可能に形成されている。係止部７１ｅは、抜止部７１に載置された突出部８５が引っ掛かるよう形成されている。連結部７５は、抜止部７１から右方向に延伸している。取付部７３は、連結部７５に連結され、抜止部７１から右方向に離れて位置するとともに、回路基板９０の表面に取り付けられる。このような電気コネクタ１によれば、突出部８５が載置される部分（以上の説明では載置縁７１ａ）と、回路基板９０の表面に取り付けられる部分（以上の説明では接続部７３ａ）との間に十分な距離が確保され得る。その結果、半田上がりによって半田が取付部７３から載置縁７１ａにまで達することが防止され得る。
【００４２】
また、抜止部７１と取付部７３との間に大きな距離が確保されるので、接続部７３ａのパッド９２からの剥離が防止され得る。つまり、前接続端子５０及び後接続端子６０に挿入されたＦＰＣ８０を引き抜こうとする力が働いた場合には、連結部７５が撓むことによって、接続部７３ａに作用する力が低減される。その結果、接続部７３ａのパッド９２からの剥離が防止され得る。
【００４３】
また、連結部７５は、抜止部７１の上縁から右方向に延伸するよう配置され、載置縁７１ａより前方に位置している。これによって、ＦＰＣ８０を挿入する際に、突出部８５が連結部７５上に位置するか否かによって、ＦＰＣ８０の位置の適否を判定できる。すなわち、ＦＰＣ８０が適切な位置まで挿入されたか否かを判定できる。
【００４４】
また、連結部７５は板状に形成されている。これによって、ＦＰＣ８０が適切な位置まで挿入されていない場合に突出部８５が連結部７５上に位置しやすくなり、より適確にＦＰＣ８０の位置の適否を判定できる。
【００４５】
また、抜止部７１は、後方（ＦＰＣ８０の挿入方向）に延伸する抜止側圧入部７２を有し、ハウジング１１には、抜止側圧入部７２が圧入される差込孔１８が形成されている。これによって、電気コネクタ１の低背化を進めた場合であっても、補強部材７０Ｒに長い抜止側圧入部７２を設けることができ、補強部材７０Ｒをより強固にハウジング１１に固定できる。例えば、電気コネクタの高さ方向（Ｚ１−Ｚ２方向）に延伸する圧入部が設けられた補強部材を、ハウジングに対して上から取り付け、補強部材の圧入部をハウジングに対して上から圧入する構造に比べて、抜止側圧入部７２を長くすることができ、補強部材７０Ｒをより強固にハウジング１１に固定できる。
【００４６】
また、取付部７３は、後方（ＦＰＣ８０の挿入方向）に延伸する取付側圧入部７４を有し、ハウジング１１には、取付側圧入部７４が圧入される孔が形成されている。これによって、補強部材７０Ｒをハウジング１１に対してさらに強固に固定できる。
【００４７】
なお、本発明は以上説明した電気コネクタ１に限られず種々の変更が可能である。例えば、以上の説明では、抜止部７１の載置縁７１ａと係止部７１ｅと突出部７２ｂとによって凹部が構成され、その内側にＦＰＣ８０の突出部８５が配置されていた。しかしながら、補強部材７０Ｒにおいて突出部８５が配置される位置は凹部でなくてもよい。例えば、抜止部７１には載置縁７１ａと係止部７１ｅのみが設けられてもよい。
【００４８】
また、以上の説明では、電気コネクタ１には左右一対の抜止側圧入部７２と取付側圧入部７４とが設けられ、それぞれハウジング１１に圧入されていた。しかしながら、電気コネクタ１にはいずれか一方のみが設けられてもよい。
【図面の簡単な説明】
【００４９】
【図１】本発明の実施形態の例である電気コネクタの斜視図である。
【図２】上記電気コネクタが有するアクチュエータを開いた状態の斜視図である。
【図３】上記電気コネクタの分解斜視図である。
【図４】上記電気コネクタが有する前接続端子の斜視図である。
【図５】図１におけるＶＩ−ＶＩ線での断面図であり、ハウジングに取り付けられた前接続端子が示されている。
【図６】上記電気コネクタが有する後接続端子６０の斜視図である。
【図７】図１におけるＶＩＩ−ＶＩＩ線での断面図であり、ハウジングに取り付けられた後接続端子が示されている。
【図８】上記アクチュエータを斜め上方から臨む斜視図である。
【図９】上記アクチュエータの底面図である。
【図１０】補強部材が設けられた部分を中心にして示す上記電気コネクタの拡大斜視図である。
【図１１】ＦＰＣが挿入された状態における上記電気コネクタの拡大斜視図である。
【図１２】補強部材の斜視図である。
【図１３】図１３とは異なる方向から補強部材を臨む当該補強部材の斜視図である。
【図１４】補強部材の側面図である。
【図１５】補強部材が設けられた部分を中心にして示す電気コネクタの正面図である。
【図１６】図１５に示すＸＶＩ−ＸＶＩ線断面図である。
【図１７】図１５に示すＸＶＩＩ−ＸＶＩＩ線断面図である。
【符号の説明】
【００５０】
１  電気コネクタ、１１  ハウジング、１１ａ  壁部、１２  収容溝、１２ａ  孔、１３  枠部、１３ａ  縁、１４  収容溝、１４ａ  孔、１７，１８  差込孔、２０  アクチュエータ、２０ａ  挿入孔、２０ｂ  下面、２０ｃ  孔、２０ｃ  孔、２０ｄ  端部、２１  カム、２２，２３，２４  凸部、２９  芯材、５０  前接続端子、５１  基部、５２  上ビーム、５２ａ  鉤部、５３  下ビーム、５３ａ  接触部、５３ｂ  接続部、５４  圧入部、５４ａ  爪部、６０  後接続端子、６１  基部、６２  上ビーム、６２ａ  押圧部、６３  ビーム、６３ａ  接触部、６４  延伸部、６４ａ  圧入部、６４ｃ  爪部、６５  接続部、７０Ｌ，７０Ｒ  補強部材、７１  抜止部、７１ａ  載置縁、７１ｂ  抜止壁部、７１ｃ  下縁、７２  抜止側圧入部、７２ａ  爪部、７２ｂ  突出部、７３  取付部、７３ａ  接続部、７３ｂ  後端、７３ｃ，７３ｄ  凹部、７４  取付側圧入部、７４ａ  爪部、７５  連結部、７５ａ，７５ｂ  角部、７６  係止部、８０  ＦＰＣ、８０ａ  左右の縁（側縁）、８０ｂ  先端縁、８１  回路本体、８２  補強板、８３  導体部、８５  突出部、９０  回路基板、９１  パッド、９２  パッド。
【図１】
2010003590.tif 000003
【図２】
2010003590.tif 000004
【図３】
2010003590.tif 000005
【図４】
2010003590.tif 000006
【図５】
2010003590.tif 000007
【図６】
2010003590.tif 000008
【図７】
2010003590.tif 000009
【図８】
2010003590.tif 000010
【図９】
2010003590.tif 000011
【図１０】
2010003590.tif 000012
【図１１】
2010003590.tif 000013
【図１２】
2010003590.tif 000014
【図１３】
2010003590.tif 000015
【図１４】
2010003590.tif 000016
【図１５】
2010003590.tif 000017
【図１６】
2010003590.tif 000018
【図１７】
2010003590.tif 000019
【手続補正書】
【提出日】平成21年6月4日(2009.6.4)
【手続補正１】
【補正対象書類名】明細書
【補正対象項目名】全文
【補正方法】変更
【補正の内容】
【発明の詳細な説明】
【技術分野】
【０００１】
本発明は、平型の電線を回路基板に接続するための電気コネクタに関する。
【背景技術】
【０００２】
フレキシブル・フラット・ケーブル（以下、ＦＦＣ）やフレキシブル・プリント回路（以下、ＦＰＣ）等の平型の電線を回路基板に接続するための電気コネクタには、電気コネクタの回路基板への取付強度を増すための補強部材を有するものがある。このような電気コネクタでは、端子だけでなく、補強部材も回路基板の表面に半田付けされており、それによって、電気コネクタの回路基板への取付強度が増している。
【０００３】
従来、ＦＰＣ等の平型の電線が電気コネクタから抜けるのを防止するために、電線が引っ掛かるように形成された補強部材を有する電気コネクタが提案されている。例えば、特許文献１の電気コネクタには、回路基板の表面に半田付けされる下縁を有する板状の補強部材が設けられ、当該補強部材の上縁には、電線の縁に形成された突出部が載置可能な凹部が形成されている。この凹部に突出部が嵌ることによって、電線は抜け止めされている。
【特許文献１】特開２００７−２９９５５４号公報
【発明の開示】
【発明が解決しようとする課題】
【０００４】
上記特許文献１に開示される電気コネクタでは、半田付けの際に半田上がりによって凹部が塞がれることのないように、すなわち、半田が補強部材の下縁から凹部の底にあたる部分（以下、底縁）にまで達することのないように、補強部材の下縁と凹部の底縁との間に十分な距離が保たれる必要がある。しかしながら、近年、電気コネクタの低背化によって補強部材の上下幅が小さくなってきているため、凹部の底縁と、補強部材の下縁との間に十分な距離が保てない場合がある。
【０００５】
本発明は、上記課題を鑑みてなされたものであって、その目的は、補強部材によって平型の電線を抜け止めする電気コネクタにおいて、電気コネクタを低背化した場合においても、電線の突出部が載置される部分と、回路基板の表面に半田付けされる部分との間に十分な距離を保つことのできる電気コネクタを提供することにある。
【課題を解決するための手段】
【０００６】
上記課題を解決するために、本発明に係る電気コネクタは、側縁に突出部が形成された平型の電線を回路基板に接続するための電気コネクタであって、前記電線の幅方向に並ぶよう配置される複数の端子と、前記複数の端子を前記幅方向に並んだ状態で保持するハウジングと、前記ハウジングに固定される補強部材とを備える。そして、前記補強部材は、前記複数の端子に対して前記幅方向の外側に配置され、前記電線の前記突出部が載置される抜止部と、前記抜止部に載置された前記突出部に引っ掛かる係止部と、前記抜止部から前記幅方向の外側に延伸する連結部と、前記連結部に連結され、前記抜止部から前記幅方向の外側に離れて位置するとともに、前記回路基板の表面に取り付けられる取付部と含む。
【発明の効果】
【０００７】
本発明によれば、抜止部から電線の幅方向の外側に離れた位置に取付部が設けられており、電気コネクタを低背化した場合においても、電線の突出部が載置される部分と、回路基板の表面に半田付けされる部分との間に十分な距離を保つことができる。
【発明を実施するための最良の形態】
【０００８】
以下、本発明の一実施形態について図面を参照しながら説明する。図１は本発明の実施形態の例である電気コネクタ１の斜視図であり、図２は電気コネクタ１が有するアクチュエータ２０を開いた状態の当該電気コネクタ１の斜視図であり、図３は電気コネクタ１の分解斜視図である。図４は電気コネクタ１が有する前接続端子５０の斜視図である。図５は図２におけるＶ−Ｖ線での断面図であり、ハウジング１１に取り付けられた前接続端子５０が示されている。図６は電気コネクタ１が有する後接続端子６０の斜視図である。図７は図２におけるＶＩＩ−ＶＩＩ線での断面図であり、ハウジング１１に取り付けられた後接続端子６０が示されている。さらに、図８はアクチュエータ２０を斜め上方から臨む斜視図であり、図９はアクチュエータ２０の底面図である。なお、図５及び図７では、ＦＰＣ８０が挿入されるとともに、アクチュエータ２０が閉じられた状態の電気コネクタ１が示されている。
【０００９】
図１に示すように、電気コネクタ１は、平型の電線であるＦＰＣ８０を回路基板９０に接続するための電気コネクタである。ＦＰＣ８０は、可撓性を有する回路本体８１と、回路本体８１より剛性のある補強板８２とを有している。補強板８２は回路本体８１の端部の上面に貼付されている。また、回路本体８１の端部には、ＦＰＣ８０の挿入方向（後方、Ｘ２方向）に延伸する複数の導体部８３が形成されている（図５及び図７参照）。この導体部８３は、回路本体８１の端部では下側に露出している。
【００１０】
図１乃至図３に示すように、電気コネクタ１は、ＦＰＣ８０と回路基板９０とを電気的に接続する複数の前接続端子５０及び複数の後接続端子６０と、これらの端子５０，６０を並んだ状態で保持するハウジング１１とを備えている。また、電気コネクタ１は、挿入されたＦＰＣ８０を押し下げて、導体部８３と端子５０，６０との接触強度を増すアクチュエータ２０と、回路基板９０に半田付けされて電気コネクタ１の回路基板９０への取付強度を増す補強部材７０Ｒ，７０Ｌとを備えている。図２に示すように、ＦＰＣ８０は、左右の縁（側縁）８０ａ，８０ａから突出する板状の突出部８５，８５を有している。この突出部８５,５８は補強板８２に形成されている。補強部材７０Ｒ，７０Ｌは、突出部８５，８５に引っ掛かることによって、ＦＰＣ８０が電気コネクタ１から抜けることを防止している。以下、電気コネクタ１を構成する各部材について説明する。
【００１１】
図４又は図５に示すように、前接続端子５０は、基部５１の上部から前方（Ｘ１方向）に延伸する上ビーム５２と、基部５１の下部から前方に延伸する下ビーム５３とを有している。上ビーム５２と下ビーム５３は上下に離れて設けられており、これらの間にＦＰＣ８０が挿入される。詳細には、上ビーム５２と下ビーム５３の間には、回路本体８１の端部と、当該端部の上面に貼付された補強板８２とが挿入される。
【００１２】
下ビーム５３の途中の位置には、上方（Ｚ１方向）に隆起する接触部５３ａが形成されている。この接触部５３ａは、回路本体８１の端部において下側に露出している導体部８３に接触する。下ビーム５３の先端には、下方（Ｚ２方向）に突出し、回路基板９０の表面に接する接続部５３ｂが設けられている。この接続部５３ｂは、回路基板９０の表面に設けられたパッド９１に、半田によって取り付けられる（図２参照）。
【００１３】
上ビーム５２の先端５２ｂ（Ｘ１方向の端部）側の下面には、アクチュエータ２０に設けられたカム２１に引っ掛かる鉤部５２ａが形成されている。アクチュエータ２０は、カム２１が鉤部５２ａに引っ掛かった状態で回転して、補強板８２を押し下げる。アクチュエータ２０については後において詳細に説明する。なお、下ビーム５３は上ビーム５２より長くなっており、下ビーム５３の接続部５３ｂは、上ビーム５２の鉤部５２ａより前方に位置している。また、鉤部５２ａは、下ビーム５３の接触部５３ａより前方に位置している。
【００１４】
図６及び図７に示すように、後接続端子６０も、基部６１の上部から前方に延伸する上ビーム６２と、基部６１の下部から前方に延伸する下ビーム６３とを有している。上ビーム６２と下ビーム６３は上下に離れて設けられており、これらの間にＦＰＣ８０が挿入される。すなわち、上ビーム６２と下ビーム６３との間に、回路本体８１の端部と、当該端部の上面に貼付された補強板８２とが挿入される。下ビーム６３の先端には、上方に隆起する接触部６３ａが形成されている。この接触部６３ａはＦＰＣ８０の導体部８３に接する。上ビーム６２の先端には下方に突出する押圧部６２ａが形成されている。押圧部６２ａは、アクチュエータ２０が回転したときに、上ビーム６２と下ビーム６３との間に挿入されたＦＰＣ８０を押し下げる。
【００１５】
なお、下ビーム６３は上ビーム６２より長くなっており、接触部６３ａは押圧部６２ａより前方に位置している。また、前後方向（Ｘ１−Ｘ２方向）における接触部６３ａの位置は、上ビーム５２の先端５２ｂの前後方向における位置と概ね一致している（図５参照）。さらに、前後方向における押圧部６２ａの位置は、接触部５３ａの前後方向における位置と概ね一致している（図５又は図７参照）。
【００１６】
また、後接続端子６０は、基部６１から後方（Ｘ２方向）に延伸する延伸部６４を有している。延伸部６４の先端には回路基板９０の表面に接する接続部６５が設けられており、接続部６５と、前接続端子５０の接続部５３ｂは前後に離れて位置している。この接続部６５も、回路基板９０の表面に設けられたパッド（不図示）に半田で取り付けられる。
【００１７】
複数の前接続端子５０と複数の後接続端子６０は、左右方向（Ｙ１−Ｙ２方向、ＦＰＣ８０の幅方向）に交互に並んだ状態で、ハウジング１１によって保持されている。詳細には、ハウジング１１には、前後方向（Ｘ１−Ｘ２方向）に長い複数の収容溝１２と、同じく前後方向に長い複数の収容溝１４とが交互に形成されている（図１参照）。図５に示すように、各収容溝１２の奥には、後方に延伸する孔１２ａが形成されている。前接続端子５０は、基部５１から後方に延伸する圧入部５４を有している（図４参照）。複数の前接続端子５０は、それぞれ収容溝１２に対して前側から挿入され、圧入部５４はハウジング１１の孔１２ａに圧入される。圧入部５４の途中の位置には爪部５４ａが形成されており、当該爪部５４ａが孔１２ａの内面に引っ掛かることで、前接続端子５０はハウジング１１に固定される。
【００１８】
また、図７に示すように、各収容溝１４の奥には、上下方向の孔１４ａ，１４ｂが形成されている。後接続端子６０の延伸部６４には、上方に突出する圧入部６４ａ，６４ｂが形成されている。複数の後接続端子６０は、それぞれ収容溝１４に対して下側から挿入され、圧入部６４ａ，６４ｂはハウジング１１の孔１４ａ，１４ｂに圧入される。圧入部６４ａ，６４ｂの先端には爪部６４ｃ，６４ｄが形成されており、当該爪部６４ｃ，６４ｄが孔１４ａ，１４ｂの内面に引っ掛かることで、後接続端子６０はハウジング１１に対して固定される。
【００１９】
図８又は図９に示すように、アクチュエータ２０は、左右方向に長い棒状の部材であり、上ビーム５２，６２の先端（Ｘ１方向の端部）側であって、下ビーム５３，６３の上方に配置されている。アクチュエータ２０における複数の上ビーム５２に対応する位置に、挿入孔２０ａが形成されている。図２又は図５に示すように、これらの挿入孔２０ａには各上ビーム５２の先端５２ｂが嵌められ、上ビーム５２の先端５２ｂ側に形成された鉤部５２ａは、挿入孔２０ａの縁に形成されたカム２１に引っ掛かっている。アクチュエータ２０は上ビーム５２の上方において起立した時の開位置（図５及び図７において二点鎖線で示すアクチュエータ２０の位置）と、下ビーム５３側に倒れた時の閉位置（図５及び図７において実線で示すアクチュエータ２０の位置）との間で、カム２１を支点として回転可能となっている。カム２１は、アクチュエータ２０が開位置にある時には、上ビーム５２と概ね平行となり、アクチュエータ２０が閉位置にある時には、上ビーム５２に対して概ね垂直な方向に向くよう形成されている。そして、アクチュエータ２０が閉位置に配置されている時には、カム２１は上ビーム５２から下方の力を受ける。
【００２０】
アクチュエータ２０は、カム２１が鉤部５２ａに引っ掛かった状態で開位置から閉位置に回転する。それによって、アクチュエータ２０は、前接続端子５０及び後接続端子６０に挿入されたＦＰＣ８０を押し下げ、接触部５３ａ，６３ａと導体部８３との接触強度を増す。
【００２１】
ここで説明する例では、アクチュエータ２０は、閉位置に配置されることによって上ビーム５２から下方の力を受けた時に、隣接する２つの下ビーム５３の間に位置する接触部６３ａに対して、ＦＰＣ８０の導体部８３を押し付ける。また、それに伴って、後接続端子６０の押圧部６２ａは、隣接する２つの下ビーム６３の間に位置する接触部５３ａに対して、導体部８３を押し付ける。つまり、図５に示すように、アクチュエータ２０が閉位置まで回転すると、上ビーム５２はカム２１を押し下げ、アクチュエータ２０の下面２０ｂがＦＰＣ８０を押し下げる。上述したように、前接続端子５０の先端５２ｂの前後方向（Ｘ１−Ｘ２方向）における位置と、後接続端子６０の接触部６３ａの前後方向における位置は概ね一致している。そのため、先端５２ｂ側に設けられた鉤部５２ａがカム２１を押し下げることによって、アクチュエータ２０の下面２０ｂは、ＦＰＣ８０を後接続端子６０の接触部６３ａに押し付ける。また、接触部６３ａは下ビーム６３の先端に設けられており、ＦＰＣ８０が接触部６３ａに下方の力を加えることによって、下ビーム６３が下方に撓む（図７参照）。そして、図７に示すように、それに伴って、上ビーム６２の先端に設けられた押圧部６２ａが、ＦＰＣ８０における、アクチュエータ２０より後側の位置を押し下げる。上述したように、押圧部６２ａの前後方向における位置は、前接続端子５０の接触部５３ａの前後方向における位置と概ね一致している。そのため、押圧部６２ａがＦＰＣ８０を押し下げることによって、ＦＰＣ８０の下面に設けられた導体部８３は接触部５３ａに押し付けられる。なお、図７では、下面２０ｂによって下方に押される前の下ビーム６３が二点鎖線で示されている。
【００２２】
図８に示すように、アクチュエータ２０には、複数の挿入孔２０ａと交互に並ぶ複数の孔２０ｃも形成されている。この孔２０ｃの位置は、上ビーム６２の位置に対応しており、アクチュエータ２０が開位置に配置された時には、当該孔２０ｃに上ビーム６２の先端が嵌ることで、アクチュエータ２０は開位置側に大きく回転できる。
【００２３】
なお、アクチュエータ２０は樹脂によって成型されており、その内部には、アクチュエータ２０を補強する芯材２９が設けられている（図９参照）。この芯材２９はインサート成型によってアクチュエータ２０の内部で保持されている。
【００２４】
ここで補強部材７０Ｒ，７０Ｌについて説明する。図２に示すように、補強部材７０Ｒ，７０Ｌは、それぞれ前接続端子５０及び後接続端子６０に対して、ＦＰＣ８０の幅方向における外側（右側（Ｙ１方向側）及び左側（Ｙ２方向側））に配置されている。そして、補強部材７０Ｒ，７０Ｌは、前接続端子５０及び後接続端子６０にＦＰＣ８０が挿入された時には、ＦＰＣ８０の左右の縁８０ａ，８０ａに隣接する。また、ハウジング１１には前方に伸びる枠部１３，１３が設けられ、補強部材７０Ｒ，７０Ｌは枠部１３，１３の内側に位置している。補強部材７０Ｒ及び補強部材７０Ｌの形状及び位置は左右対称であるので、ここでは補強部材７０Ｒを中心にして説明する。
【００２５】
図１０は補強部材７０Ｒが設けられた部分を中心にして示す電気コネクタ１の拡大斜視図であり、図１１はＦＰＣ８０が挿入された状態における電気コネクタ１の拡大斜視図である。図１２は補強部材７０Ｒの斜視図であり、図１３は図１２とは異なる方向から補強部材７０Ｒを臨む斜視図であり、図１４は補強部材７０Ｒの側面図である。図１５は補強部材７０Ｒが設けられた部分を中心にして示す電気コネクタ１の正面図であり、図１６は図１５に示すＸＶＩ−ＸＶＩ線断面図であり、図１７は図１５に示すＸＶＩＩ−ＸＶＩＩ線断面図である。
【００２６】
図１０乃至図１３に示すように、補強部材７０Ｒは、抜止部７１と、当該抜止部７１から左右方向（Ｙ１−Ｙ２方向）に離れて位置する取付部７３と、抜止部７１から右方向（Ｙ１方向）に延伸して取付部７３に連なる連結部７５とによって構成されている。連結部７５の両端は、それぞれ抜止部７１の前側（Ｘ１方向側）の上部と、取付部７３の前側の上部とに掛け渡されている。抜止部７１は、ＦＰＣ８０が電気コネクタ１に挿入された時に、当該抜止部７１に突出部８５が載置可能となるように形成されている。また、抜止部７１には、当該抜止部７１に載置された突出部８５が引っ掛かる係止部７６が設けられている。以下、補強部材７０Ｒの各部について詳細に説明する。
【００２７】
取付部７３は、前後方向に長い板状を呈し、電気コネクタ１が回路基板９０上に配置された時に回路基板９０に対して略垂直となるように形成されている。取付部７３の下縁には接続部７３ａが設けられている。この接続部７３ａは、取付部７３において前側（Ｘ１方向側）の位置に形成されている。接続部７３ａは、電気コネクタ１が回路基板９０上に配置された時には、当該回路基板９０の表面に形成されたパッド９２と接する（図１０参照）。接続部７３ａはパッド９２に半田で取り付けられる。
【００２８】
取付部７３の前側の端部７３ｂの下縁は、接続部７３ａより高い位置に位置しており、電気コネクタ１が回路基板９０上に載置された時においても、取付部７３の端部７３ｂの下縁と回路基板９０の表面との間には隙間が設けられる。また、図１３に示すように、取付部７３の下縁には凹部７３ｃが形成されている。凹部７３ｃは、取付部７３の端部７３ｂと接続部７３ａとの間に位置している。これによって、接続部７３ａをパッド９２に取り付ける際に当該接続部７３ａに供給される半田が、端部７３ｂに達することが抑制される。なお、この端部７３ｂ側の上縁に連結部７５が連なっている。
【００２９】
取付部７３は、後方に延伸するよう形成された取付側圧入部７４を有している。図１７に示すように、ハウジング１１において取付側圧入部７４に対向する位置には、前後方向に長い差込孔１７が形成されており、取付側圧入部７４はこの差込孔１７に圧入されている。取付側圧入部７４の先端側には、差込孔１７の内面に引っ掛かる爪部７４ａが形成されている。
【００３０】
また、抜止部７１は、後方に延伸するよう形成された抜止側圧入部７２を有している。図１６に示すように、ハウジング１１において抜止側圧入部７２に対向する位置に、前後方向に長い差込孔１８が形成されており、抜止側圧入部７２はこの差込孔１８に圧入されている。抜止側圧入部７２の途中の位置には、差込孔１８の内面に引っ掛かる爪部７２ａが形成されている。抜止側圧入部７２及び取付側圧入部７４がそれぞれ差込孔１８，１７に圧入されることよって、補強部材７０Ｒはハウジング１１に固定される。なお、差込孔１７は取付側圧入部７４の上下幅と概ね同じ大きさに形成されている。一方、差込孔１８は抜止側圧入部７２の上下幅より僅かに小さくなっている。これによって、抜止側圧入部７２は取付側圧入部７４に比べて強固にハウジング１１に固定される。
【００３１】
抜止側圧入部７２の基部には、上方に突出する突出部７２ｂが形成されている。一方、アクチュエータ２０において突出部７２ｂに対応する位置、すなわち、アクチュエータ２０において左右方向の端部２０ｄ側の縁には、凸部２２が形成されている（図１０参照）。補強部材７０Ｒは、アクチュエータ２０が前接続端子５０の上ビーム５２に取り付けられた後に、ハウジング１１に対して、当該ハウジング１１の前側（Ｘ１方向側）から圧入される。その結果、図１６に示すように、突出部７２ｂはアクチュエータ２０の凸部２２の前方（Ｘ１方向）に位置し、凸部２２の前方へ（Ｘ１方向）の移動を規制している。これによって、アクチュエータ２０のハウジング１１からの離脱が補強部材７０Ｒによって防止されている。
【００３２】
図１０又は図１２に示すように、抜止部７１は、前後方向に長い板状を呈し、回路基板９０上に電気コネクタ１が配置された時に当該回路基板９０に対して垂直になるように形成されている。また、抜止部７１は、ＦＰＣ８０が挿入された時に、その縁８０ａに隣接する。抜止部７１は、その上縁の一部に、突出部８５が載置可能な載置縁７１ａを有している。載置縁７１ａは、回路基板９０と略平行に形成されるとともに、突出部８５の幅に相応した幅（前後方向の長さ）を有している。載置縁７１ａの前側の端部に係止部７６が設けられている。ここで説明する例では、抜止部７１は、載置縁７１ａの前側に、当該載置縁７１ａより高い抜止壁部７１ｂを有し、抜止壁部７１ｂの縁が係止部７６となっている。ＦＰＣ８０が前接続端子５０及び後接続端子６０に挿入された時には、突出部８５は載置縁７１ａに載置される（図１１参照）。そして、ＦＰＣ８０が前方（Ｘ１方向）に引かれた時には、突出部８５が係止部７６に引っ掛かることによって、ＦＰＣ８０は抜け止めされる。なお、載置縁７１ａと係止部７６と突出部７２ｂとによって、突出部８５を収容する凹部が構成されている（図１４参照）。
【００３３】
抜止部７１における載置縁７１ａの位置は、補強板８２を電気コネクタ１に対して適切な位置まで挿入した時の突出部８５の位置に一致している。ここで説明する例では、図５及び図７に示すように、ハウジング１１の奥部には壁部１１ａ，１１ｂが設けられており、ＦＰＣ８０は、当該ＦＰＣ８０の先端縁８０ｂが壁部１１ａ，１１ｂに当接するまで挿入される。そして、先端縁８０ｂが壁部１１ａ，１１ｂに当接するまでＦＰＣ８０が挿入された時の突出部８５の位置に、載置縁７１ａが設けられている。また、上述したように、載置縁７１ａの前後方向の幅は、突出部８５の前後方向の幅に対応している。そのため、ＦＰＣ８０を前接続端子５０と後接続端子６０とに挿入する際に、突出部８５が載置縁７１ａに位置するか否かに応じて、ＦＰＣ８０が適切な位置にまで挿入されたか否かを判定できる。
【００３４】
図１０に示すように、アクチュエータ２０の左右方向の端部２０ｄの下面には、凸部２３が形成されている。この凸部２３は、アクチュエータ２０を閉位置に配置した時に、取付部７３と抜止部７１との間に位置し（図１５参照）、載置縁７１ａに配置されている突出部８５に上方から当接する。これによって、より確実にＦＰＣ８０が電気コネクタ１に対して抜け止めされ得る。
【００３５】
なお、アクチュエータ２０の端部には、左右方向に突出する凸部２４，２４が形成されている（図２、図９又は図１５参照）。アクチュエータ２０が閉位置に配置されると、凸部２４はハウジング１１に設けられた枠部１３の縁１３ａを乗り越えて下方に移動する（図１５参照）。これによってアクチュエータ２０が再び開位置に戻ることが規制されている。
【００３６】
図１４又は図１５に示すように、抜止部７１の下縁７１ｃは、取付部７３の接続部７３ａより高い位置に位置している。すなわち、電気コネクタ１を回路基板９０上に配置した状態では、接続部７３ａのみが回路基板９０の表面に接し、抜止部７１の下縁７１ｃと回路基板９０の表面との間には隙間が設けられる。
【００３７】
図１２又は図１３に示すように、連結部７５は、回路基板９０と概ね平行に配置された板状を呈し、抜止部７１における後側の上縁から、右方向に延伸して取付部７３の上縁に連なっている。また、ＦＰＣ８０の挿入方向における連結部７５の位置は、載置縁７１ａより手前側に位置している。すなわち、連結部７５は載置縁７１ａより前方に位置している。そのため、ＦＰＣ８０が適切な位置まで挿入されていない場合には、突出部８５は連結部７５上に位置する。その結果、突出部８５が連結部７５上に位置しているか否かに応じて、ＦＰＣ８０の位置の適否を判定できる。
【００３８】
連結部７５は抜止部７１に対して概ね垂直に設けられる一方で、連結部７５と抜止部７１とを繋ぐ角部７５ａは湾曲している。これによって、ＦＰＣ８０を電気コネクタ１に挿入する際に、ＦＰＣ８０の位置が左右方向にずれているために、ＦＰＣ８０の縁８０ａが連結部７５に僅かに乗り上げている場合には、ＦＰＣ８０が角部７５ａによって左右方向の中心側に案内される。
【００３９】
なお、連結部７５と取付部７３とが連なる角部７５ｂも湾曲している。また、取付部７３の上縁において連結部７５の後側（Ｘ２方向側）の位置には凹部７３ｄが形成されている。
【００４０】
このような補強部材７０Ｒは金属によって一体的に形成される。例えば、補強部材７０Ｒは、取付部７３及び抜止部７１等の形状に切断された板状の金属を、取付部７３と連結部７５とが連結する部分と、抜止部７１と連結部７５とが連結する部分とにおいて屈曲させることによって、連結部７５に対して概ね垂直な取付部７３及び抜止部７１を有する補強部材７０Ｒが形成される。
【００４１】
以上説明した電気コネクタ１では、補強部材７０Ｒには、抜止部７１と取付部７３と連結部７５と係止部７６とが設けられている。抜止部７１は、複数の前接続端子５０と後接続端子６０に対して、右方向（Ｙ１方向、ＦＰＣ８０の幅方向における外側）に配置され、突出部８５が載置可能に形成されている。係止部７６は、抜止部７１に載置された突出部８５が引っ掛かるよう形成されている。連結部７５は、抜止部７１から右方向に延伸している。取付部７３は、連結部７５に連結され、抜止部７１から右方向に離れて位置するとともに、回路基板９０の表面に取り付けられる。このような電気コネクタ１によれば、突出部８５が載置される部分（以上の説明では載置縁７１ａ）と、回路基板９０の表面に取り付けられる部分（以上の説明では接続部７３ａ）との間に十分な距離が確保され得る。その結果、半田上がりによって半田が取付部７３から載置縁７１ａにまで達することが防止され得る。
【００４２】
また、抜止部７１と取付部７３との間に大きな距離が確保されるので、接続部７３ａのパッド９２からの剥離が防止され得る。つまり、前接続端子５０及び後接続端子６０に挿入されたＦＰＣ８０を引き抜こうとする力が働いた場合には、連結部７５が撓むことによって、接続部７３ａに作用する力が低減される。その結果、接続部７３ａのパッド９２からの剥離が防止され得る。
【００４３】
また、連結部７５は、抜止部７１の上縁から右方向に延伸するよう配置され、載置縁７１ａより前方に位置している。これによって、ＦＰＣ８０を挿入する際に、突出部８５が連結部７５上に位置するか否かによって、ＦＰＣ８０の位置の適否を判定できる。すなわち、ＦＰＣ８０が適切な位置まで挿入されたか否かを判定できる。
【００４４】
また、連結部７５は板状に形成されている。これによって、ＦＰＣ８０が適切な位置まで挿入されていない場合に突出部８５が連結部７５上に位置しやすくなり、より適確にＦＰＣ８０の位置の適否を判定できる。
【００４５】
また、抜止部７１は、後方（ＦＰＣ８０の挿入方向）に延伸する抜止側圧入部７２を有し、ハウジング１１には、抜止側圧入部７２が圧入される差込孔１８が形成されている。これによって、電気コネクタ１の低背化を進めた場合であっても、補強部材７０Ｒに長い抜止側圧入部７２を設けることができ、補強部材７０Ｒをより強固にハウジング１１に固定できる。例えば、電気コネクタの高さ方向（Ｚ１−Ｚ２方向）に延伸する圧入部が設けられた補強部材を、ハウジングに対して上から取り付け、補強部材の圧入部をハウジングに対して上から圧入する構造に比べて、抜止側圧入部７２を長くすることができ、補強部材７０Ｒをより強固にハウジング１１に固定できる。
【００４６】
また、取付部７３は、後方（ＦＰＣ８０の挿入方向）に延伸する取付側圧入部７４を有し、ハウジング１１には、取付側圧入部７４が圧入される孔が形成されている。これによって、補強部材７０Ｒをハウジング１１に対してさらに強固に固定できる。
【００４７】
なお、本発明は以上説明した電気コネクタ１に限られず種々の変更が可能である。例えば、以上の説明では、抜止部７１の載置縁７１ａと係止部７６と突出部７２ｂとによって凹部が構成され、その内側にＦＰＣ８０の突出部８５が配置されていた。しかしながら、補強部材７０Ｒにおいて突出部８５が配置される位置は凹部でなくてもよい。例えば、抜止部７１には載置縁７１ａと係止部７６のみが設けられてもよい。
【００４８】
また、以上の説明では、電気コネクタ１には左右一対の抜止側圧入部７２と取付側圧入部７４とが設けられ、それぞれハウジング１１に圧入されていた。しかしながら、電気コネクタ１にはいずれか一方のみが設けられてもよい。
【図面の簡単な説明】
【００４９】
【図１】本発明の実施形態の例である電気コネクタの斜視図である。
【図２】上記電気コネクタが有するアクチュエータを開いた状態の斜視図である。
【図３】上記電気コネクタの分解斜視図である。
【図４】上記電気コネクタが有する前接続端子の斜視図である。
【図５】図１におけるＶＩ−ＶＩ線での断面図であり、ハウジングに取り付けられた前接続端子が示されている。
【図６】上記電気コネクタが有する後接続端子の斜視図である。
【図７】図１におけるＶＩＩ−ＶＩＩ線での断面図であり、ハウジングに取り付けられた後接続端子が示されている。
【図８】上記アクチュエータを斜め上方から臨む斜視図である。
【図９】上記アクチュエータの底面図である。
【図１０】補強部材が設けられた部分を中心にして示す上記電気コネクタの拡大斜視図である。
【図１１】ＦＰＣが挿入された状態における上記電気コネクタの拡大斜視図である。
【図１２】補強部材の斜視図である。
【図１３】図１２とは異なる方向から補強部材を臨む当該補強部材の斜視図である。
【図１４】補強部材の側面図である。
【図１５】補強部材が設けられた部分を中心にして示す電気コネクタの正面図である。
【図１６】図１５に示すＸＶＩ−ＸＶＩ線断面図である。
【図１７】図１５に示すＸＶＩＩ−ＸＶＩＩ線断面図である。
【符号の説明】
【００５０】
１  電気コネクタ、１１  ハウジング、１１ａ  壁部、１２  収容溝、１２ａ  孔、１３  枠部、１３ａ  縁、１４  収容溝、１４ａ  孔、１７，１８  差込孔、２０  アクチュエータ、２０ａ  挿入孔、２０ｂ  下面、２０ｃ  孔、２０ｃ  孔、２０ｄ  端部、２１  カム、２２，２３，２４  凸部、２９  芯材、５０  前接続端子、５１  基部、５２  上ビーム、５２ａ  鉤部、５３  下ビーム、５３ａ  接触部、５３ｂ  接続部、５４  圧入部、５４ａ  爪部、６０  後接続端子、６１  基部、６２  上ビーム、６２ａ  押圧部、６３  ビーム、６３ａ  接触部、６４  延伸部、６４ａ  圧入部、６４ｃ  爪部、６５  接続部、７０Ｌ，７０Ｒ  補強部材、７１  抜止部、７１ａ  載置縁、７１ｂ  抜止壁部、７１ｃ  下縁、７２  抜止側圧入部、７２ａ  爪部、７２ｂ  突出部、７３  取付部、７３ａ  接続部、７３ｂ  後端、７３ｃ，７３ｄ  凹部、７４  取付側圧入部、７４ａ  爪部、７５  連結部、７５ａ，７５ｂ  角部、７６  係止部、８０  ＦＰＣ、８０ａ  左右の縁（側縁）、８０ｂ  先端縁、８１  回路本体、８２  補強板、８３  導体部、８５  突出部、９０  回路基板、９１  パッド、９２  パッド。